【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
硫酸ナトリウム１０水和物、炭酸ナトリウム１０水和物、及びリン酸水素二ナトリウム１２水和物からなる主剤を含み、
前記主剤１００質量％中に、
前記硫酸ナトリウム１０水和物が１５〜３０質量％、
前記炭酸ナトリウム１０水和物が１７〜３５質量％、及び
前記リン酸水素二ナトリウム１２水和物が３５〜６１質量％含まれ、
融解潜熱を発現する温度が２０℃以上３０℃未満にあり、
前記融解潜熱が１７０Ｊ／ｇ以上であることを特徴とする蓄熱材組成物。
【請求項２】
前記主剤中の、前記硫酸ナトリウム１０水和物の含有量をＸ質量％、前記炭酸ナトリウム１０水和物の含有量をＹ質量％、及び前記リン酸水素二ナトリウム１２水和物の含有量をＺ質量％としたとき、Ｘ、Ｙ及びＺが下記式（１）〜（４）を満たすことを特徴とする請求項１に記載の蓄熱材組成物。
Ｘ＋Ｙ＋Ｚ＝１００                      （１）
１５≦Ｘ≦３１                          （２）
Ｘ−７．２６４Ｙ＋２２３．４６４≧０    （３）
Ｘ＋３．７１１Ｙ−９４．８８８≧０      （４）
【請求項３】
余剰水をさらに含み、
前記余剰水は、前記主剤１００質量部に対して９質量部以下含まれることを特徴とする請求項１又は２に記載の蓄熱材組成物。
【請求項４】
有機不飽和カルボン酸、有機不飽和スルホン酸、有機不飽和リン酸、有機不飽和アミド、有機不飽和アルコール、有機不飽和カルボン酸塩、有機不飽和スルホン酸塩、及び有機不飽和リン酸塩からなる群より選択される少なくとも１種の単量体と、
多官能性単量体と、
を重合させて得られる相分離抑制剤をさらに含むことを特徴とする請求項１〜３のいずれか１項に記載の蓄熱材組成物。
【請求項５】
塩化ナトリウム、塩化カリウム、硝酸ナトリウム、臭化ナトリウム、塩化アンモニウム、臭化アンモニウム、硫酸アンモニウム、硝酸アンモニウム、リン酸アンモニウム、及び尿素からなる群より選択される少なくとも１種の融点降下剤をさらに含むことを特徴とする請求項１〜４のいずれか１項に記載の蓄熱材組成物。
【請求項６】
ホウ砂Ｎａ２Ｂ４Ｏ５（ＯＨ）４・８Ｈ２Ｏ、プロピレングリコール、エチレングリコール、グリセリン、エチレンジアミン四酢酸、アルキル硫酸ナトリウム、アルキルリン酸ナトリウム、アルキル硫酸カリウム、及びアルキルリン酸カリウムからなる群より選択される少なくとも１種の過冷却抑制剤をさらに含むことを特徴とする請求項１〜５のいずれか１項に記載の蓄熱材組成物。
【請求項７】
ケイ酸ナトリウム、水ガラス、ポリアクリル酸、ポリアクリル酸ナトリウム、ポリカルボキシレートポリエーテルポリマー、アクリル酸・マイレン酸共重合体ナトリウム、アクリル酸・スルホン酸系モノマー共重合体ナトリウム、アクリルアミド・ジメチルアミノエチルメタクリラートジメチル硫酸塩共重合物、アクリルアミド・アクリル酸ソーダ共重合物、ポリエチレングリコール、ポリプロピレングリコール、高吸水樹脂（ＳＡＰ）、カルボキシメチルセルロース（ＣＭＣ)、ＣＭＣの誘導体、カラギーナン、カラギーナンの誘導体、キサンタンガム、キサンタンガムの誘導体、ペクチン、ペクチンの誘導体、デンプン、デンプンの誘導体、コンニャク、寒天、層状ケイ酸塩、及び上記物質の複合物質からなる群より選択される少なくとも１種の相分離抑制剤をさらに含むことを特徴とする請求項１〜６のいずれか１項に記載の蓄熱材組成物。
【請求項８】
請求項１〜７のいずれか１項に記載の蓄熱材組成物を用いた蓄熱材モジュールを具備することを特徴とする建築物の冷暖房用の蓄熱システム。
【手続補正２】
【補正対象書類名】明細書
【補正対象項目名】００１４
【補正方法】変更
【補正の内容】
【００１４】
本発明の第１の態様に係る蓄熱材組成物は、硫酸ナトリウム１０水和物、炭酸ナトリウム１０水和物、及びリン酸水素二ナトリウム１２水和物からなる主剤を含み、前記主剤１００質量％中に、前記硫酸ナトリウム１０水和物が１５〜３０質量％、前記炭酸ナトリウム１０水和物が１７〜３５質量％、及び前記リン酸水素二ナトリウム１２水和物が３５〜６１質量％含まれ、融解潜熱を発現する温度が２０℃以上３０℃未満にあり、前記融解潜熱が１７０Ｊ／ｇ以上である。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本発明の第２の態様に係る蓄熱材組成物は、第１の態様に係る蓄熱材組成物において、前記主剤中の、前記硫酸ナトリウム１０水和物の含有量をＸ質量％、前記炭酸ナトリウム１０水和物の含有量をＹ質量％、及び前記リン酸水素二ナトリウム１２水和物の含有量をＺ質量％としたとき、Ｘ、Ｙ及びＺが下記式（１）〜（４）を満たす。
Ｘ＋Ｙ＋Ｚ＝１００                      （１）
１５≦Ｘ≦３１                          （２）
Ｘ−７．２６４Ｙ＋２２３．４６４≧０    （３）
Ｘ＋３．７１１Ｙ−９４．８８８≧０      （４）。
【手続補正５】
【補正対象書類名】明細書
【補正対象項目名】００１７
【補正方法】変更
【補正の内容】
【００１７】
本発明の第３の態様に係る蓄熱材組成物は、第１又は第２の態様に係る蓄熱材組成物において、余剰水をさらに含み、前記余剰水は、前記主剤１００質量部に対して９質量部以下含まれる。
【手続補正６】
【補正対象書類名】明細書
【補正対象項目名】００１８
【補正方法】変更
【補正の内容】
【００１８】
本発明の第４の態様に係る蓄熱材組成物は、第１〜第３のいずれかの態様に係る蓄熱材組成物において、有機不飽和カルボン酸、有機不飽和スルホン酸、有機不飽和リン酸、有機不飽和アミド、有機不飽和アルコール、有機不飽和カルボン酸塩、有機不飽和スルホン酸塩、及び有機不飽和リン酸塩からなる群より選択される少なくとも１種の単量体と、多官能性単量体と、を重合させて得られる相分離抑制剤をさらに含む。
【手続補正７】
【補正対象書類名】明細書
【補正対象項目名】００１９
【補正方法】変更
【補正の内容】
【００１９】
本発明の第５の態様に係る蓄熱材組成物は、第１〜第４のいずれかの態様に係る蓄熱材組成物において、塩化ナトリウム、塩化カリウム、硝酸ナトリウム、臭化ナトリウム、塩化アンモニウム、臭化アンモニウム、硫酸アンモニウム、硝酸アンモニウム、リン酸アンモニウム、及び尿素からなる群より選択される少なくとも１種の融点降下剤をさらに含む。
【手続補正８】
【補正対象書類名】明細書
【補正対象項目名】００２０
【補正方法】変更
【補正の内容】
【００２０】
本発明の第６の態様に係る蓄熱材組成物は、第１〜第５のいずれかの態様に係る蓄熱材組成物において、ホウ砂Ｎａ２Ｂ４Ｏ５（ＯＨ）４・８Ｈ２Ｏ、プロピレングリコール、エチレングリコール、グリセリン、エチレンジアミン四酢酸、アルキル硫酸ナトリウム、アルキルリン酸ナトリウム、アルキル硫酸カリウム、及びアルキルリン酸カリウムからなる群より選択される少なくとも１種の過冷却抑制剤をさらに含む。
【手続補正９】
【補正対象書類名】明細書
【補正対象項目名】００２１
【補正方法】変更
【補正の内容】
【００２１】
本発明の第７の態様に係る蓄熱材組成物は、第１〜第６のいずれかの態様に係る蓄熱材組成物において、ケイ酸ナトリウム、水ガラス、ポリアクリル酸、ポリアクリル酸ナトリウム、ポリカルボキシレートポリエーテルポリマー、アクリル酸・マイレン酸共重合体ナトリウム、アクリル酸・スルホン酸系モノマー共重合体ナトリウム、アクリルアミド・ジメチルアミノエチルメタクリラートジメチル硫酸塩共重合物、アクリルアミド・アクリル酸ソーダ共重合物、ポリエチレングリコール、ポリプロピレングリコール、高吸水樹脂（ＳＡＰ）、カルボキシメチルセルロース（ＣＭＣ)、ＣＭＣの誘導体、カラギーナン、カラギーナンの誘導体、キサンタンガム、キサンタンガムの誘導体、ペクチン、ペクチンの誘導体、デンプン、デンプンの誘導体、コンニャク、寒天、層状ケイ酸塩、及び上記物質の複合物質からなる群より選択される少なくとも１種の相分離抑制剤をさらに含む。
【手続補正１０】
【補正対象書類名】明細書
【補正対象項目名】００２２
【補正方法】変更
【補正の内容】
【００２２】
本発明の第８の態様に係る建築物の冷暖房用の蓄熱システムは、第１〜第７のいずれかの態様に係る蓄熱材組成物を用いた蓄熱材モジュールを具備する。
【手続補正１１】
【補正対象書類名】明細書
【補正対象項目名】００２４
【補正方法】変更
【補正の内容】
【００２４】
【図１】潜熱蓄熱材組成物の融解潜熱を発現する温度と蓄熱量との関係の一例を示すグラフである。
【図２】示差走査熱量測定（ＤＳＣ）を用いて、潜熱蓄熱材組成物が融解潜熱を発現する下限温度Ｔｓと上限温度Ｔｆとを測定した結果を模式的に示したグラフである。
【図３】主剤を構成する硫酸ナトリウム１０水和物（Ｎａ２ＳＯ４・１０Ｈ２Ｏ）、炭酸ナトリウム１０水和物（Ｎａ２ＣＯ３・１０Ｈ２Ｏ）及びリン酸水素二ナトリウム１２水和物（Ｎａ２ＨＰＯ４・１２Ｈ２Ｏ）の含有量の三元系状態図である。